(57)【要約】【課題】ロータの回転時においても冷却剤がロータの外周面に達し、ロータを冷却することができ、効率の向上が図られた回転電動機を提案する。【解決手段】回転電動機５００は、筒状に形成されたステータ５０１と、回転可能な回転シャフト１０８と、ステータ５０１内に挿入され、回転シャフト１０８に固設されたロータ５０２と、ロータ５０２の外周面に向けて冷却剤Ｂを吐出する吐出口５２０ａと、ロータ５０２の外周面に形成され、ロータ５０２の外周面５１５から流体Ａを噴出可能な噴出口５０４ａと、流体Ａを吸入する吸入口５０７ａと、吸入口５０７ａと噴出口５０４ａとを連通する連通路５３０とを備える。【選択図】図２
2008067466.tif 000002
【特許請求の範囲】
【請求項１】
筒状に形成されたステータと、
回転可能な回転シャフトと、
前記ステータ内に挿入され、前記回転シャフトに固設されたロータと、
前記ロータの外周面に向けて冷却剤を吐出する吐出口と、
前記ロータの外周面に形成され、前記ロータの外周面から流体を噴出可能な噴出口と、
前記流体を吸入する吸入口と、
前記吸入口と前記噴出口とを連通する連通路と、
を備えた回転電動機。
【請求項２】
前記噴出口は、該噴出口から噴出される流体が前記ロータの回転方向と反対方向の速度成分を有するように、前記流体を噴出可能である、請求項１に記載の回転電動機。
【請求項３】
前記吸入口は、前記ロータと前記ステータとの隙間の圧力よりも、高い空間に開口する、請求項１に記載の回転電動機。
【請求項４】
前記吸入口は、前記吐出口より前記ロータの径方向内方に位置する、請求項１から請求項３のいずれかに記載の回転電動機。
【請求項５】
前記連通路は、前記ロータに形成され、前記噴出物を収容可能な収容空間と、前記収容空間と前記噴出口とを連通する第１連通路と、前記吸入口と前記収容空間とを連通する第２連通路とを含む、請求項１から請求項４のいずれかに記載の回転電動機。
【請求項６】
前記ロータおよび前記ステータを収容するケーシングをさらに備え、
前記吸入口は、前記ケーシング内に位置する、請求項１から請求項４のいずれかに記載の回転電動機。
【発明の詳細な説明】
【技術分野】
【０００１】
本発明は、回転電動機に関し、特に、ロータを冷却する冷却機構を備えた回転電動機に関する。
【背景技術】
【０００２】
自動車用内燃機関には自然吸気式エンジンと過給式エンジンとがある。過給機構としては、一般にターボチャージャと呼ばれる排気タービン駆動式のものと、一般にスーパチャージャと呼ばれる機械駆動式のものとが実用化されている。ターボチャージャは、排気ガスのエネルギでタービンを回転させ、それと直結したコンプレッサで吸入空気を圧縮してエンジンに供給するものである。
【０００３】
内燃機関の低回転域においては、排気エネルギが小さいことから、電動機によりコンプレッサを回転させることにより、低回転域の過給圧を強制的に上昇させるターボチャージャが公知である。このようなターボチャージャにおいては、電動機が排気ガスなどの高温に曝されるため、温度上昇により電動機の効率が低下するという問題がある。
【０００４】
このような問題に鑑みて、特開２００２−５８２０７号公報（特許文献１）には、回転電動機の冷却を簡便に行なえ、回転電動機の効率低下を抑制することのできるターボチャージャが提案されている。このターボチャージャは、螺旋溝が形成された固定子および回転子を備えている。螺旋溝には、シャフトの軸受けに潤滑油を供給する潤滑油供給口からの潤滑油が垂れ込む。そして、回転子の回転に伴って、潤滑油を回転軸方向に強制的に流し、回転子および固定子を強制的に冷却する。
【０００５】
また、特開２００３−２７４６０７号公報にも、発電機を冷却して、発電効率の向上を図ることができる発電機が提案されている。この発電機は、孔が形成された鉄心と、この鉄心の孔に挿入されたロータと、鉄心の内周とロータの外周とを経る冷却エア通路とを備えている。そして、冷却エア通路内に冷却オイルのミストを供給して、鉄心およびロータとを冷却する。
【０００６】
さらに、実開平４−５４４６７号公報にも、ベアリングに供給する潤滑油の油路にノズルを設けて、このノズルから潤滑油を回転子の外周面や側面に噴き出させて、回転子を冷却するタービン発電機が提案されている。
【０００７】
特表２００２−５２７７１０号公報には、ステータを貫通し、ロータとステータ間のギャップに達する複数の通路を備え、この通路に液冷媒を供給して、ロータおよびステータを冷却する液体チラーが提案されている。
【特許文献１】特開２００２−５８２０７号公報
【特許文献２】特開２００３−２７４６０７号公報
【特許文献３】実開平４−５４４６７号公報
【特許文献４】特表２００２−５２７７１０号公報
【発明の開示】
【発明が解決しようとする課題】
【０００８】
ロータが高速で回転すると、ロータの表面近傍の空気もロータの動きに追従し、回転電動機の駆動中、ロータの外周面近傍の空気の流速は高速となっている。このため、特開２００２−５８２０７号公報に提案されているように、潤滑油供給口から螺旋溝に潤滑油を垂れ流しても、潤滑油がロータ表面の空気によって弾き飛ばされてしまい、潤滑油が螺旋溝内に入り込まない。
【０００９】
さらに、特開２００３−２７４６０７号公報、実開平４−５４４６７号公報、特表２００２−５２７７１０号公報に提案されているように、ステータからロータの外周面に向けて液体冷媒を吹付けても、ロータ表面の空気によって液体冷媒が吹き飛ばされてしまい、液体冷媒がロータの表面に届かない。
【００１０】
このため、従来の回転電動機においては、ロータの外周面を冷却することが困難であり、回転電動機の効率低下を抑制しがたいものとなっている。
【００１１】
本発明は、上記のような課題に鑑みてなされたものであり、その目的はロータの回転時においても冷却剤がロータの外周面に達し、ロータを冷却することができ、効率の向上が図られた回転電動機を提案することである。
【課題を解決するための手段】
【００１２】
本発明に係る回転電動機は、筒状に形成されたステータと、回転可能な回転シャフトと、ステータ内に挿入され、回転シャフトに固設されたロータと、ロータの外周面に向けて冷却剤を吐出する吐出口と、ロータの外周面に形成され、ロータの外周面から流体を噴出可能な噴出口と、流体を吸入する吸入口と、吸入口と噴出口とを連通する連通路とを備える。好ましくは、上記噴出口は、該噴出口から噴出される流体がロータの回転方向と反対方向の速度成分を有するように、流体を噴出可能とする。好ましくは、上記吸入口は、ロータとステータとの隙間の圧力よりも、高い空間に開口する。好ましくは、上記吸入口は、吐出口よりロータの径方向内方に位置する。好ましくは、上記記連通路は、ロータに形成され、噴出物を収容可能な収容空間と、収容空間と噴出口とを連通する第１連通路と、吸入口と収容空間とを連通する第２連通路とを含む。好ましくは、上記ロータおよびステータを収容するケーシングをさらに備え、吸入口は、ケーシング内に位置する。
【発明の効果】
【００１３】
本発明に係る回転電動機によれば、流体物が噴出口から噴出することにより、ロータの表面およびその近傍を流れる空気と流体とが衝突し、空気の流速を低減させることができる。これにより、吐出口から吐出した冷却剤がロータ表面およびその近傍を流れる空気によって弾き飛ばされることを抑制することができ、ロータを良好に冷却することができる。
【発明を実施するための最良の形態】
【００１４】
以下、図面を参照しつつ、本実施の形態に係る回転電動機５００について説明する。図１は、本実施の形態に係る回転電動機５００を備えたターボチャージャ１００の断面図である。この図１に示されるように、ターボチャージャ１００は、内燃機関（以下、エンジンと記載する）の吸気経路上に設けられたコンプレッサ１２４と、エンジンの排気経路上に設けられたタービン１２６と、コンプレッサ１２４とタービン１２６との間に設けられるベアリングハウジング１０２とを備えている。コンプレッサ１２４は、コンプレッサハウジング１０４と、コンプレッサホイール（コンプレッサロータ、コンプレッサブレードなどとも呼ばれる）１１０とを備えている。タービン１２６は、タービンハウジング１０６と、タービンホイール（タービンロータ、タービンブレードなどとも呼ばれる）１１２とを備えている。コンプレッサホイール１１０と、タービンホイール１１２とは、シャフト１０８により連結されている。ベアリングハウジング１０２は、シャフト１０８を回転自在に支持する。
【００１５】
なお、本実施の形態に係るターボチャージャ１００は、車両のエンジンに搭載される過給機構である。エンジンは、ガソリンエンジンであってもよいし、ディーゼルエンジンであってもよく、特に限定されるものではない。また、車両はハイブリッド車両であってもよく、特に限定されるものではない。また、本発明に係るターボチャージャは車両に限定して適用されるものではない。
【００１６】
コンプレッサハウジング１０４は、シャフト１０８に対して、シャフト１０８の軸方向に位置する部分に形成された入口１２２と、コンプレッサハウジング１０４の側面に形成された出口とを備えている。
【００１７】
入口１２２には、シャフト１０８の軸方向に沿って延びる吸気通路２００の一方の端部が接続される。出口には、シャフト１０８の軸方向に対して直交する方向から吸気通路２１０の一方の端部が接続される。
【００１８】
そして、吸気通路２００の他方の端部は、エアクリーナに接続されており、吸気通路２１０の他方の端部は、インタークーラに接続されている。吸気通路２００の途中には、調整弁２０４が設けられている。この調整弁２０４より上流側に位置する吸気通路２００には、この吸気通路２００と吸気通路２１０とを接続するバイパス通路２０２が接続されている。
【００１９】
また、バイパス通路２０２の端部にも、調整弁２０６が設けられており、初期状態は、閉状態とされている。
【００２０】
ベアリングハウジング１０２に隣接するタービンハウジング１０６には、シャフト１０８の回転軸と直交する位置に入口が設けられる。タービンハウジング１０６の入口には、排気通路２１２の一方端に接続される。排気通路２１２の他方端には、エンジンのエキゾーストマニホールドに接続される。タービンハウジング１０６には、シャフト１０８の回転軸の延長方向に出口１２８が設けられる。タービンハウジング１０６の出口１２８は、触媒に接続される。
【００２１】
シャフト１０８は、ベアリングハウジング１０２を貫通するように設けられる。シャフト１０８の一方端には、コンプレッサホイール１１０が設けられ、コンプレッサハウジング１０４に収納される。シャフト１０８の他方端には、タービンホイール１１２が設けられ、タービンハウジング１０６に収納される。
【００２２】
ＥＣＵ５００は、ＣＰＵおよびメモリ等から構成される。ＥＣＵ５００は、メモリに記憶されたプログラムを実行することにより、温度検知センサ３０２により検知された温度に応じて、アクチュエータを介して調整弁（１）２０４、調整弁（２）２０６の状態を制御したり、回転電動機５００を制御したりする。なお、上記温度センサ３０２は、ベアリングハウジング１０２内に配置されており、ベアリングハウジング１０２内の温度を測定可能となっている。
【００２３】
ベアリングハウジング１０２は、コンプレッサハウジング１０４およびタービンハウジング１０６の間に、それぞれに隣接するように設けられる。ベアリングハウジング１０２は、シャフト１０８の周りで中空の筒状に形成され、軸方向の両端部に、シャフト１０８を回転自在に支持する２つのベアリング１１４がそれぞれ設けられる。
【００２４】
また、ベアリングハウジング１０２の軸方向の両端部において、軸に直交する方向に潤滑油通路１１６が形成されており、その潤滑油通路１１６を介して、ベアリング１１４とシャフト１０８との間に潤滑油が供給される。潤滑油は、エンジンの作動に応じてオイルポンプが駆動することにより、ベアリング１１４とシャフト１０８との間に供給される。
【００２５】
ベアリングハウジング１０２内には、さらに、中空部１２０と、中空部１２０内に収納され、シャフト１０８を回転軸とする回転電動機５００が設けられる。
【００２６】
回転電動機５００は、電力の供給を受けてシャフト１０８を回転させる。回転電動機５００は、たとえば、交流モータであり電動機としても発電機としても機能し得る。回転電動機５００は、特に交流モータに限定されるものではなく、直流モータであってもよい。
【００２７】
図２は、回転電動機５００の要部を示す断面図である。この図２および図１に示されるように、回転電動機５００は、筒状に形成されたステータ５０１と、回転可能なシャフト１０８と、ステータ５０１内に挿入され、シャフト１０８に固設されたロータ５０２と、ロータ５０２の外周面５１５に向けて冷却剤Ｂをロータ５０２の外周面５１５に向けて吐出する吐出口５２０ａと、流体物Ａを噴出する噴出口５０４ａとを、流体物Ａを吸入する吸入口５０７ａと、吸入口５０７ａと噴出口５０４ａとを連通する連通路５３０とを備えている。
【００２８】
ここで、ロータ５０２が回転すると、ロータ５０２の表面およびその近傍に位置する空気は、ロータ５０２の回転に追従して、ロータ５０２の回転方向Ｐに沿って流動する。
【００２９】
噴出口５０４ａから流体物Ａが噴出すると、ロータ５０２の外周面およびその近傍を流れる空気と噴出物とが衝突して、空気の流速が低減される。そして、吐出口５２０ａから冷却剤Ｂがロータ５０２の外周面５１５に向けて吐出すると、冷却剤Ｂが外周面５１５およびその近傍を流れる空気によって弾き飛ばされることを抑制することができる。このため、冷却剤Ｂがロータ５０２の外周面５１５に届き、外周面５１５を良好に冷却することができる。これにより、ロータ５０２を冷却することができ、回転電動機５００の駆動能力の向上を図ることができる。なお、冷却剤Ｂとしては、冷却用潤滑油などの液体冷媒などを採用する。
【００３０】
図３は、図２に示すＩＩＩ−ＩＩＩ線における断面図である。この図３に示すように、流体物Ａは、噴出口５０４ａから径方向よりロータ５０２の回転方向後方側に向けて噴出する。このため、流体物Ａの噴出方向のうち、ロータ５０２の外周面５１５の接線方向の成分は、ロータ５０２の回転方向Ｐと反対方向を向いている。
【００３１】
すなわち、ロータ５０２の表面およびその近傍を流れる空気の流通方向と、流体物Ａの噴出方向のうち、ロータ５０２の外周面５１５の接線方向の成分とは、互いに反対方向を向いている。
【００３２】
このため、外周面５１５表面およびその近傍を流れる空気と、流体物Ａとが衝突するこにより、確実に、空気のロータ５０２の周方向の流速を低減することができる。
【００３３】
図１および図２に示すように、吸入口５０７ａは、ロータ５０２とステータ５０１との間の隙間ＧＰの圧力よりも、圧力が高い空間に開口している。
【００３４】
具体的には、吸入口５０７ａは、噴出口５０４ａよりも、ロータ５０２の径方向内方側に形成されている。
【００３５】
このため、ロータ５０２が回転すると、噴出口５０４ａ近傍の空気の流速は、吸入口５０７ａ近傍に位置する空気の流速より速くなる。ここで、ベルヌーイの定理より、流速が速くなると、圧力が低くなる。したがって、噴出口５０４ａ近傍の空気の圧力より、吸入口５０７ａ近傍の空気の圧力の方が低くなる。このため、吸入口５０７ａから吸入された流体物Ａが噴出口５０４ａから噴出する。
【００３６】
すなわち、本実施の形態に係る回転電動機５００によれば、流体物Ａを加圧して、噴出口５０４ａから流体物Ａを噴出すさせるための供給装置を要さず、回転電動機５００の大型化を抑制することができる。なお、本実施の形態においては、吸入口５０７ａは、ロータ５０２に形成されているが、この位置に限られず、たとえば、シャフトの表面に開口してもよい。
【００３７】
連通路５３０は、ロータ５０２に形成され、流体物Ａを収容可能な収容空間５０５と、この収容空間５０５と吸入口５０７ａとを連通する経路５０７と、収容空間５０５と噴出口５０４ａとを連通する経路５０４とを含む。
【００３８】
収容空間５０５は、ロータ５０２の軸方向に延在しており、ロータ５０２の径方向に延びる経路５０４を軸方向に複数間隔を隔てて形成することができる。
【００３９】
ロータ５０２に装着された磁石５０３の避けるように経路５０４を配置することもでき、磁石５０３に孔を形成せずにすむようにできる。
【００４０】
吸入口５０７ａは、図１に示す中空部１２０に開口しており、中空部１２０内の空気およびオイルミストを流体物Ａとして吸入する。
【００４１】
オイルミスとを流体物Ａ内に取り込むことにより、ロータ５０２表面を流通する空気の流速を低減することができると共に、オイルミスとを冷却剤として機能させることができる。すなわち、ロータ５０２内にオイルミストおよび空気を流通させることにより、ロータ５０２を内部から冷却することができる。以上のように本発明の実施の形態について説明を行なったが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【産業上の利用可能性】
【００４２】
本発明は、回転電動機に好適である。
【図面の簡単な説明】
【００４３】
【図１】本実施の形態に係る回転電動機を備えたターボチャージャの断面図である。
【図２】回転電動機の要部を示す断面図である。
【図３】図２に示すＩＩＩ−ＩＩＩ線における断面図である。
【符号の説明】
【００４４】
１００  ターボチャージャ、１０２  ベアリングハウジング、１０４  コンプレッサハウジング、１０６  タービンハウジング、１０８  シャフト（回転シャフト）、１１０  コンプレッサホイール、１１２  タービンホイール、１２０  中空部、１２４  コンプレッサ、１２６  タービン、５００  回転電動機、５０１  ステータ、５０２  ロータ、５０３  磁石、５０４ａ  噴出口、５０４  経路、５０５  収容空間、５０７ａ  吸入口、
５０７  経路、５１５  外周面、５２０ａ  吐出口、連通路  ５３０。
【図１】
2008067466.tif 000003
【図２】
2008067466.tif 000004
【図３】
2008067466.tif 000005